(57)【特許請求の範囲】
【請求項１】
箱体内に複数の引出しを上下に多段状に装着した多段引出しキャビネットにおいて、
箱体内の左右の内側面に上下動可能として装着された昇降杆と、それに対向する各引出しの側面とのいずれか一方に突子を設け、かつ他方に、昇降杆が上方に移動することで突子と等高となって突子と当接して、各引出しの前方への移動を阻止するストッパ面と、引出しが前方へ移動することにより、前記突子と摺接して、昇降杆を上方に移動させる押上部と、引出しの後方への移動時に、前記突子と摺接して、昇降杆を下降させる押下部とを備える案内具を設けるとともに、前記箱体の一方の内側面上部に自動ロック装置が設けられ、
前記自動ロック装置は、箱体の内側面に固設可能な基板と、該基板に対して軸を中心に回動自在に軸支された回動リンクと、施解錠スイッチからの信号によって、前記回動リンクを介して昇降杆を上下動させうる基板に固定の電磁ソレノイドと、常時前記回動リンクを昇降杆を上方に移動させる方向に付勢し、電磁ソレノイドの軸の収縮力を補助する付勢バネと、で構成され、前記電磁ソレノイドの通電により、電磁ソレノイドの軸が収縮し、前記回動リンクの先端が揺動板を上向きに移動させ、前記揺動板の先端部に吊支されている昇降杆を上方に移動させることで全引出しを同時に施錠させ、かつ全引出しが押入れられ、前記電磁ソレノイドの通電の停止時に、前記昇降杆の自重で電磁ソレノイドの軸が伸長し、前記昇降杆が揺動板の先端部に吊支される状態で昇降杆を下方に移動させることで、全引出しを同時に解錠させて各引出しを自由に引き出せるようにしたことを特徴としてなる多段引出しキャビネットにおける同時引出し防止兼電気施解錠装置。
【発明の詳細な説明】
【０００１】
【発明の属する技術分野】
本発明は、箱体内に複数の引出しを上下に多段状に装着した多段引出しキャビネットにおける同時引出し防止兼電気施解錠装置に関する。
【０００２】
【従来の技術】
従来、この種のロック装置としては実公平４−３２４６５号公報等が開示されている。この装置は、箱体内に複数の引出しを上下に多段状に装着し、各引出しの後端に回動自在に設けたラッチ爪を、箱体内に配設した前後回動自在となるようにして軸支した縦長の係合部材に係合する方向に付勢し、前記各ラッチ爪が取り付く引出しの前面板に設けられた錠前にて前記係合部材との係合が解除できるように構成する一方、箱体内には、箱体内に挿入された全引出しのラッチ爪との係脱を一挙に行わせる方向に前記係合部材を回動駆動する電磁ソレノイドを設けたものである。
【０００３】
この装置では、電磁ソレノイドによって、全引出しの施解錠が電気的に同時に行えるため、錠前による施解錠と比較して施解錠作業が楽に行える。特に多くのキャビネットの施解錠を行う場合には、錠前の場合には、各キャビネット毎にキー操作が必要であるのに対して、この装置を備えたキャビネットの場合には、集中制御部に各キャビネットの電磁ソレノイドの制御を行わせることで、各キャビネットの同時施解錠が可能となり、施解錠作業が非常に楽に行え、退社時の全キャビネットの同時施錠、出社時の全キャビネットの同時解錠が可能となり、文書等の盗難防止に有効である。
【０００４】
【発明が解決しようとする課題】
しかしながら、このような装置では、ラッチ爪が引出しの後端に設けられ、電磁ソレノイドにより回動駆動する係合部材が箱体の内側後部に設けられているために、箱体に引出しが挿入された状態で、引出しの後面と箱体の内側後面との間に距離が必要となり、箱体の奥行に比べて引出しの有効奥行が小さくなるので、引出しの文書収納量が少なくなってしまうという欠点があった。
【０００５】
また、係合部材がロック解除状態にあると、多段引出しの全てが同時に引出されてキャビネットが転倒する恐れがあった。そこで多段引出しキャビネットの箱体内側面に設けられている複数の引出しの同時開放によるキャビネットの転倒を防止するための防倒装置を設けること等が考えられるが、施解錠装置と防倒装置とを別装置として備えることになると、そのためのスペースが更に大きくなるとともに、装置が高価なものとなってしまう問題があった。
【０００６】
本発明はこのような問題点を解決するため、引出しの後面と箱体の内側後面との間に距離を取る必要がなく、箱体内に設置可能で、かつ複数の引出しの同時開放によるキャビネットの転倒を防止するための防倒装置と施解錠装置とを簡単な機構により共用できる多段引出しキャビネットにおける同時引出し防止兼電気施解錠装置を提供することを目的としている。
【０００７】
【課題を解決するための手段】
上記目的を達成するために、本発明の多段引出しキャビネットにおける同時引出し防止兼電気施解錠装置は、箱体内に複数の引出しを上下に多段状に装着した多段引出しキャビネットにおいて、
箱体内の左右の内側面に上下動可能として装着された昇降杆と、それに対向する各引出しの側面とのいずれか一方に突子を設け、かつ他方に、昇降杆が上方に移動することで突子と等高となって突子と当接して、各引出しの前方への移動を阻止するストッパ面と、引出しが前方へ移動することにより、前記突子と摺接して、昇降杆を上方に移動させる押上部と、引出しの後方への移動時に、前記突子と摺接して、昇降杆を下降させる押下部とを備える案内具を設けるとともに、前記箱体の一方の内側面上部に自動ロック装置が設けられ、
前記自動ロック装置は、箱体の内側面に固設可能な基板と、該基板に対して軸を中心に回動自在に軸支された回動リンクと、施解錠スイッチからの信号によって、前記回動リンクを介して昇降杆を上下動させうる基板に固定の電磁ソレノイドと、常時前記回動リンクを昇降杆を上方に移動させる方向に付勢し、電磁ソレノイドの軸の収縮力を補助する付勢バネと、で構成され、前記電磁ソレノイドの通電により、電磁ソレノイドの軸が収縮し、前記回動リンクの先端が揺動板を上向きに移動させ、前記揺動板の先端部に吊支されている昇降杆を上方に移動させることで全引出しを同時に施錠させ、かつ全引出しが押入れられ、前記電磁ソレノイドの通電の停止時に、前記昇降杆の自重で電磁ソレノイドの軸が伸長し、前記昇降杆が揺動板の先端部に吊支される状態で昇降杆を下方に移動させることで、全引出しを同時に解錠させて各引出しを自由に引き出せるようにしたことを特徴としている。
この特徴によれば、上下方向に移動させることで全引出しを同時に施解錠出来る昇降杆を、箱体の一方の内側面上部に配設させる電磁ソレノイドを用いて移動させることが出来るようにしたことにより、デッドスペースとなる引出し内側面上部を有効利用でき、引出しの奥行きを有効に取ることが出来る。また、複数の引出しの同時開放によるキャビネットの転倒を防止するための防倒装置に、ユニット化した自動ロック装置を追加するだけで、防倒装置を有するキャビネットに容易に電気式の施解除装置を設けることができる。
【００１１】
【発明の実施の形態】
以下、本発明の実施例を図面に基づいて説明すると、まず図１には本発明の適用される書類収納用のキャビネットが示されており、キャビネットの箱体１内には上下３段に引出し２が収容されている。前記引出し２の両側面における前記箱体１のそれぞれの内側面には、前後方向摺動自在に取付けられた案内レール３内に嵌合可能な走行レール４が固設されており、引出し２を箱体１内に出し入れしうるようになっている。そしてこれら各引出し２の両側面所定箇所には突子５がそれぞれ突設されている。
【００１２】
箱体１の両内側面上下方向には、箱体１の高さより若干短寸の昇降杆６が、支持板１０（図２参照）により昇降自在に支持されており、特に図１中右方の昇降杆６の下端部と右方の側板の下端部との間には、合成樹脂製のキャッチ７が設けられている。
【００１３】
キャッチ７は図５（ａ）〜図５（ｃ）に示されるように、上方の把持具８と下方の嵌入具９とよりなり、把持具８は、下面開口する方形箱状をなすとともに、その内側面には、弾性屈撓する１対の係止片８ａが形成されている。前記両係止片８ａの下端同士は、常時は近接している。嵌入具９は、中位部が膨出している舌片状の嵌入部９ａの下端に取付部９ｂを連設したものよりなっている。そして把持具８は、箱体１の内側面下部に固着され、嵌入具９は、右方の昇降杆６の下端に固着されている。
【００１４】
右方の昇降杆６における各突子５とほぼ等高の個所には、後述するような案内具１１の基板１２が固着されている。前記基板１２の側面上部には、下向山形の押上突起１３が、同じく側面下部には、上向山形の押下突起（ストッパ）１４が連設され、両突起１３、１４の間には、引出し２の突子５が前後に挿通しうる前下方を向く傾斜溝１５が形成されている。押下突起１４の後端面１４ａは、垂直なストッパ面をなしている。尚、左方の昇降杆６の内側面における各引出し２に対応する位置には、上記と同一の押下突起１４のみが固着されている。
【００１５】
また、前記両昇降杆６の上端には係合孔１６が穿設され、両係合孔１６には、階段状に屈曲する揺動板１７の先端部１７ａが、上下方向に若干遊動しうるように嵌合されている（図６、９参照）。
【００１６】
特に図９に示されるように、前記揺動板１７の後板１７ｂからは、フック１８が後方に突設されており、該フック１８は、箱体１の上板の裏面に固設される支持具１９に穿設された長孔２０内に係脱可能に係合されている。
【００１７】
箱体１内の左内側面上部後側には、特に図６〜図８に示される自動ロック装置２１が配設されている。該自動ロック装置２１は、主に箱体１の左内側面上部に固設される基板２２と、該基板２２の上部に形成される突片２３において軸２４を中心に回動自在に軸支され、その前端上部に形成される切欠部２５（図９参照）を介して、揺動板１７の先端部１７ａ近傍を下方より支持する回動リンク２６と、前記基板２２にボルト２７を介して固定される取付板２８に固設される電磁ソレノイド２９とから構成される。
【００１８】
電磁ソレノイド２９の上方には上下方向に伸縮する軸２９ａが嵌挿されており、その先端には下端に水平板３０を有する連結板３１が取付けられており、この連結板３１の上端は、軸３２をもって回動リンク２６の後端に枢着されている。
【００１９】
前記水平板３０は、取付板２８に互いに上下方向に所定距離離間して固着される上下の制御部材３３、３３’間内を移動可能になっている。
【００２０】
また、３４は一端を回動リンク２６の後端に、他端を基板２２に取付けられた取付ボルト３６上端にそれぞれ取付けられた付勢バネであり、常時回動リンク２６を反時計回り方向に付勢し、電磁ソレノイド２９の軸２９ａの収縮力を補助するようになっている。
【００２１】
電磁ソレノイド２９は、箱体１の前面上部に露出される鍵孔３５ａを有する電磁シリンダ錠３５ａを介してキー操作することで、電磁ソレノイド２９の軸２９ａが収縮し、回動リンク２６が軸２４を中心に回動されるようになっている。
【００２２】
このように構成された装置において、全引出し２が押入れられ、電磁シリンダ錠３５が解錠されている時は、図７に示されるように昇降杆６の自重で電磁ソレノイド２９の軸２９ａが伸長し、回動リンク２６の前端が揺動板１７の前端を下方位置に保持するようになっている。
【００２３】
図２に示されるように両昇降杆６が自重により下限に位置（即ち昇降杆６が係合孔１６の上辺を介して揺動板１７の先端部１７ａに吊支される状態）している時、各案内具１１の傾斜溝１５の後端は、各引出し２の突子５の直前に位置する。従って各引出し２は、自由に引き出すことができ、キャッチ７の把持具８と嵌入９は、図５（ａ）に示すように、上下に分離している。
【００２４】
図３に示すように、例えば中段の引き出し２を引出すと、右方の突子５は、中段の案内具１１の傾斜溝１５を通過する際に、押上突起１３を押上げ、右方の昇降杆６とともに全案内具１１を上昇させ、ともに上昇する嵌入具９は、図５（ｂ）に示すように把持具８に嵌入して弾性係合する。
【００２５】
突子５の通過後も、右方の昇降杆６は下降せず、他の突子５は、押下突起１４の後端面１４ａの下部の直後に位置する。従って上段と下段の引出し２は、その突子５が各案内具１１の押下突起１４に前方が遮られて引出すことはできない。このとき、左方の昇降杆６は下限に位置したままで、左方の突子５の移動を何ら妨げることはない。
【００２６】
上述の状態で、中段の引出し２を押し入れると、その右方の突子５は、中段の案内具１１の傾斜溝１５を前方より通過する際、押下突起１４を押し下げるので、昇降杆６もともに下降して、キャッチ７の嵌入具９は、把持具８より強制的に離脱させられ、右方の昇降杆６は、自重により更に若干下降して、図２に示す状態となり、全引出し２は引出し可能となる。
【００２７】
図２及び図７に示す状態において、電磁シリンダ錠３５を施錠操作すると、電磁ソレノイド２９の軸２９ａが図８のように収縮し、回動リンク２６を反時計回りに回動させる。よって回動リンク２６の先端が揺動板１７を上向き回動させ、その先端部１７ａに吊支されている両昇降杆６は、図４に示すように、各案内具１１とともに若干上昇させられ、その押下突起１４の後端面１４ａの上部が、各突子５の前方を覆うので、左右両列の全引出し２は、引出し不能に施錠される。
【００２８】
しかもこの時は、両昇降杆６が上述の同時引き出し防止時程上昇しないので、キャッチ７は係合していない。そのため、再び電磁ソレノイド２９への通電を停止すれば、図７に示されるように電磁ソレノイド２９の軸２９ａが再び伸長され、昇降杆６は自重により下降して図２に示すように解除される。
【００２９】
以下、本発明の実施の形態としての多段引出しキャビネットにおける同時引出し防止兼電気施解錠装置によれば、上下方向に移動させることで全引出しを同時に施解錠出来る昇降杆を、箱体の内側面に配設させる電磁ソレノイドを用いて移動させることが出来るようにしたことにより、引出しの奥行きを有効に取ることが出来る。
【００３０】
また、複数の引出しの同時開放によるキャビネットの転倒を防止するための防倒装置にも箱体の内側に昇降杆に結合するリンクと、電磁ソレノイドを追加するのみの簡単な連係構造で、防倒装置を有するキャビネットに容易に電気式の施解除装置を設けることができる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
【発明の効果】
本発明は次の効果を奏する。
【００４１】
（ａ）請求項１の発明によれば、上下方向に移動させることで全引出しを同時に施解錠出来る昇降杆を、箱体の一方の内側面上部に配設させる電磁ソレノイドを用いて移動させることが出来るようにしたことにより、デッドスペースとなる引出し内側面上部を有効利用でき、引出しの奥行きを有効に取ることが出来る。また、複数の引出しの同時開放によるキャビネットの転倒を防止するための防倒装置に、ユニット化した自動ロック装置を追加するだけで、防倒装置を有するキャビネットに容易に電気式の施解除装置を設けることができる。
【００４５】
【図面の簡単な説明】
【図１】本発明の適用される書類収納用のキャビネットを示す斜視図である。
【図２】施解錠装置が解錠状態であるキャビネットを示す側面図である。
【図３】施解錠装置が解錠状態で、引出しが引出されたキャビネットを示す側面図である。
【図４】施解錠装置が施錠状態であるキャビネットを示す側面図である。
【図５】（ａ）、（ｂ）、（ｃ）はそれぞれ図２のＡ−Ａ断面図、図２のＢ−Ｂ断面図、図２のＣ−Ｃ断面図である。
【図６】図１のキャビネットの要部拡大平面図である。
【図７】図２の状態におけるキャビネットの施解錠装置を示す側面図である。
【図８】図４の状態におけるキャビネットの施解錠装置を示す側面図である。
【図９】施解錠装置の要部拡大斜視図である。
【符号の説明】
１            箱体
１ａ          上板
２            引出し
３            案内レール
４            走行レール
５            突子
６            昇降杆
７            キャッチ
８            把持具
８ａ          係止片
９            嵌入具
９ａ          嵌入部
９ｂ          取付部
１０            支持板
１１            案内具
１２            基板
１３            押上突起
１４            押下突起
１４ａ          後端面（ストッパ面）
１５            傾斜溝
１６            係合孔
１７            揺動板
１７ａ          先端部
１７ｂ          後板
１８            フック
１９            支持具
２０            長孔
２１            自動ロック装置
２２            基板
２３            突片
２４            軸
２５            切欠部
２６            回動リンク
２７            ボルト
２８            取付板
２９            電磁ソレノイド
２９ａ          軸
３０            水平板
３１            連結板
３２            軸
３３、３３’    規制部材
３４            付勢バネ
３５            電磁シリンダ錠
３５ａ          鍵孔
３６            取付ボルト
【図１】
0003961047.tif 000002
【図２】
0003961047.tif 000003
【図３】
0003961047.tif 000004
【図４】
0003961047.tif 000005
【図５】
0003961047.tif 000006
【図６】
0003961047.tif 000007
【図７】
0003961047.tif 000008
【図８】
0003961047.tif 000009
【図９】
0003961047.tif 000010